(57)【要約】【課題】ユーザが３Ｄ画像を視聴するために着用する眼鏡に接触式及び非接触式センサのうち一つを取り付け、ユーザによる上述した眼鏡の着用の有無に応じて２Ｄ及び３Ｄ画像のうち一つを自動的に選択する立体画像表示装置及びその制御方法を提供する。【解決手段】立体眼鏡と画像情報再生装置とから成る立体画像表示装置の制御方法であって、ユーザによる前記立体眼鏡の着用の有無を感知する段階と、前記ユーザによる前記立体眼鏡の着用の有無に応じて前記画像情報再生装置に２Ｄ及び３Ｄ画像のうち一つを生成する段階と、を有し、前記立体眼鏡と前記画像情報再生装置とが双方向通信を行うことを特徴とする立体画像表示装置の制御方法を提供する。【選択図】図２
2010154533.tif 000002
【特許請求の範囲】
【請求項１】
立体眼鏡と画像情報再生装置とから成る立体画像表示装置の制御方法であって、
ユーザによる前記立体眼鏡の着用の有無を感知する段階と、
前記ユーザによる前記立体眼鏡の着用の有無に応じて前記画像情報再生装置に２Ｄ及び３Ｄ画像のうち一つを生成する段階と、を有し、
前記立体眼鏡と前記画像情報再生装置とは、双方向通信を行うことを特徴とする立体画像表示装置の制御方法。
【請求項２】
前記立体眼鏡が、接触式センサ及び非接触式センサのうち一つを具備し、
前記ユーザによる前記立体眼鏡の着用の有無を感知する段階が、前記接触式センサ及び前記非接触式センサのうち一つによって行われることを特徴とする、請求項１に記載の立体画像表示装置の制御方法。
【請求項３】
前記ユーザが前記立体眼鏡を着用していると感知された場合、前記画像情報再生装置は３Ｄ画像を生成することを特徴とする、請求項１に記載の立体画像表示装置の制御方法。
【請求項４】
前記ユーザが前記立体眼鏡を着用していないと感知された場合、前記画像情報再生装置は２Ｄ画像を生成することを特徴とする、請求項１に記載の立体画像表示装置の制御方法。
【請求項５】
前記双方向通信が、赤外線通信、ＲＦ（Ｒａｄｉｏ  Ｆｒｅｑｕｅｎｃｙ）通信、ブルートゥース通信及びＷｉ−Ｆｉ通信のうちの一つであることを特徴とする、請求項１に記載の立体画像表示装置の制御方法。
【請求項６】
前記立体眼鏡が、第１送受信部を具備し、
前記ユーザが前記立体眼鏡を着用していると感知された場合、前記第１送受信部は、前記ユーザによる前記立体眼鏡の着用の有無を示す情報を前記画像情報再生装置に伝送することを特徴とする、請求項１に記載の立体画像表示装置の制御方法。
【請求項７】
前記立体眼鏡が、前記ユーザによる前記立体眼鏡の着用の有無と関係なしに２Ｄ及び３Ｄモードのうち一つを手動で設定可能なスイッチを具備し、
前記２Ｄモードが設定された場合、前記画像情報再生装置は前記２Ｄ画像を生成し、前記３Ｄモードが設定された場合、前記画像情報再生装置は前記３Ｄ画像を生成することを特徴とする、請求項１に記載の立体画像表示装置の制御方法。
【請求項８】
立体画像表示装置であって、
立体眼鏡と、
画像情報再生装置と、を具備し、
前記画像情報再生装置は、
ユーザによる前記立体眼鏡の着用の有無に応じて２Ｄ画像及び３Ｄ画像のうち一つを生成する出力部と、
前記立体眼鏡と双方向通信を行う第１送受信部と、を具備することを特徴とする立体画像表示装置。
【請求項９】
前記立体眼鏡が、前記ユーザによる前記立体眼鏡の着用の有無を感知する接触式センサ及び非接触式センサのうち一つを具備することを特徴とする、請求項８に記載の立体画像表示装置。
【請求項１０】
前記立体眼鏡が、前記画像情報再生装置と通信する第２送受信部を具備することを特徴とする、請求項８に記載の立体画像表示装置。
【請求項１１】
前記立体眼鏡が、２Ｄ及び３Ｄモードのうち一つを手動で選択するスイッチを具備し、
前記２Ｄモードが設定された場合、前記画像情報再生装置は前記２Ｄ画像を生成し、前記３Ｄモードが設定された場合、前記画像情報再生装置は前記３Ｄ画像を生成することを特徴とする、請求項８に記載の立体画像表示装置。
【請求項１２】
前記ユーザが前記立体眼鏡を着用している場合、前記画像情報再生装置は前記３Ｄ画像を生成することを特徴とする、請求項８に記載の立体画像表示装置。
【請求項１３】
前記ユーザが前記立体眼鏡を着用していない場合、前記画像情報再生装置は前記２Ｄ画像を生成することを特徴とする、請求項８に記載の立体画像表示装置。
【請求項１４】
前記双方向通信が、赤外線通信、ＲＦ（Ｒａｄｉｏ  Ｆｒｅｑｕｅｎｃｙ）通信、ブルートゥース通信及びＷｉ−Ｆｉ通信のうちの一つであることを特徴とする、請求項８に記載の立体画像表示装置。
【発明の詳細な説明】
【技術分野】
【０００１】
本発明は、立体画像表示装置及びその制御方法に関するものであり、より詳細には、別途の操作なしに３Ｄ及び２Ｄ画像のうち一つを選択的に生成する立体画像表示装置及びその制御方法に関するものである。
【背景技術】
【０００２】
現在の広帯域通信網に基づいて構築された情報の高速化に伴い、電話のように単純に「聞いて話す通信」から「見て聞くマルチメディア通信」に発展し、窮極的には、視空間を超えて「立体的に見て、感じて楽しむ３次元立体通信」に発展しつつある。
【０００３】
一般的に、３次元を表現する立体画像は、立体視の原理に依存しているが、約６５ｍｍ離れた人間の二つの目の間の間隔によって生じる両眼視差は、３次元効果の最も重要な要因である。すなわち、人間の左右の目が互いに関連した２Ｄ画像を見る場合、これら左右の目の画像が網膜を通して脳に伝達される。そして、脳は、これら画像を互いに融合し、本来の３Ｄ画像の奥行及び実在感を再生するが、このような能力をステレオグラフィという。
【０００４】
２Ｄ画面に３Ｄ立体画像を表示するいくつかの技術が紹介されており、具体的に、このような技術は、眼鏡式の立体画像ディスプレイ（例えば、特殊な眼鏡を用いる立体画像ディスプレイ）、非眼鏡式の立体画像ディスプレイ（例えば、特殊な眼鏡を用いない立体画像ディスプレイ）及びホログラフィックディスプレイを含む。
【０００５】
上述した技術のうち、眼鏡式の立体画像ディスプレイ技術は、偏光の振動方向又は回転方向を用いた偏光眼鏡方式と、画像を互いに転換させながら交互に左右の画像を提示する時系列眼鏡方式と、左右の目に互いに異なる明るさの光を伝達するプルフリッヒ（Ｐｕｌｆｒｉｃｈ）効果方式とに分けられる。また、非眼鏡式の立体画像ディスプレイ技術は、左右の目に該当する各画像に縦格子状の開口を置くことによって左右の目の画像を分離して観察するパララックスバリア方式と、半円筒状のレンズを配列したレンチキュラ板を用いるレンチキュラ方式と、蝿の目状のレンズ板を用いるインテグラル方式とに分けられる。そして、ホログラフィックディスプレイ技術は、レーザ光再生ホログラムと白色光再生ホログラムとに分類される。
【発明の概要】
【発明が解決しようとする課題】
【０００６】
本発明の一態様によれば、ユーザが３Ｄ画像を視聴するために着用する眼鏡に接触式及び非接触式センサのうち一つを取り付け、ユーザによる上述した眼鏡の着用の有無に応じて２Ｄ及び３Ｄ画像のうち一つを自動的に選択する立体画像表示装置及びその制御方法を提供することを目的とする。
【課題を解決するための手段】
【０００７】
前記のような目的を達成するための本発明の一実施態様に係る立体画像表示装置の制御方法は、立体眼鏡と画像情報再生装置とから成る立体画像表示装置の制御方法であって、ユーザによる前記立体眼鏡の着用の有無を感知する段階と、前記ユーザによる前記立体眼鏡の着用の有無に応じて前記画像情報再生装置に２Ｄ及び３Ｄ画像のうち一つを生成する段階と、を有し、前記立体眼鏡と前記画像情報再生装置とは、双方向通信を行うことが望ましい。
【０００８】
前記立体眼鏡は、接触式センサ及び非接触式センサのうち一つを具備し、前記ユーザによる前記立体眼鏡の着用の有無を感知する段階は、前記接触式センサ及び前記非接触式センサのうち一つによって行われることが望ましい。
【０００９】
前記ユーザが前記立体眼鏡を着用していると感知された場合、前記画像情報再生装置は３Ｄ画像を生成することが望ましい。
【００１０】
前記ユーザが前記立体眼鏡を着用していないと感知された場合、前記画像情報再生装置は２Ｄ画像を生成することが望ましい。
【００１１】
前記双方向通信は、赤外線通信、ＲＦ（Ｒａｄｉｏ  Ｆｒｅｑｕｅｎｃｙ）通信、ブルートゥース通信及びＷｉ−Ｆｉ通信のうちの一つであることが望ましい。
【００１２】
前記立体眼鏡は第１送受信部を具備し、前記ユーザが前記立体眼鏡を着用していると感知された場合、前記第１送受信部は、前記ユーザによる前記立体眼鏡の着用の有無を示す情報を前記画像情報再生装置に伝送することが望ましい。
【００１３】
前記立体眼鏡は、前記ユーザによる前記立体眼鏡の着用の有無と関係なしに２Ｄ及び３Ｄモードのうち一つを手動で設定可能なスイッチを具備し、前記２Ｄモードが設定された場合、前記画像情報再生装置は前記２Ｄ画像を生成し、前記３Ｄモードが設定された場合、前記画像情報再生装置は前記３Ｄ画像を生成することが望ましい。
【００１４】
そして、本発明の一実施態様に係る立体映像表示装置は、立体眼鏡と、画像情報再生装置と、を具備し、前記画像情報再生装置は、ユーザによる前記立体眼鏡の着用の有無に応じて２Ｄ画像及び３Ｄ画像のうち一つを生成する出力部と、前記立体眼鏡と双方向通信を行う第１送受信部と、を具備することが望ましい。
【００１５】
前記立体眼鏡は、前記ユーザによる前記立体眼鏡の着用の有無を感知する接触式センサ及び非接触式センサのうち一つを具備することが望ましい。
【００１６】
前記立体眼鏡は、前記画像情報再生装置と通信する第２送受信部を具備することが望ましい。
【００１７】
前記立体眼鏡は、２Ｄ及び３Ｄモードのうち一つを手動で選択するスイッチを具備し、前記２Ｄモードが設定された場合、前記画像情報再生装置は前記２Ｄ画像を生成し、前記３Ｄモードが設定された場合、前記画像情報再生装置は前記３Ｄ画像を生成することが望ましい。
【００１８】
前記ユーザが前記立体眼鏡を着用している場合、前記画像情報再生装置は前記３Ｄ画像を生成することが望ましい。
【００１９】
前記ユーザが前記立体眼鏡を着用していない場合、前記画像情報再生装置は前記２Ｄ画像を生成することが望ましい。
【００２０】
前記双方向通信は、赤外線通信、ＲＦ（Ｒａｄｉｏ  Ｆｒｅｑｕｅｎｃｙ）通信、ブルートゥース通信及びＷｉ−Ｆｉ通信のうちの一つであることが望ましい。
【発明の効果】
【００２１】
本発明の一実施態様に係る立体画像表示装置及びその制御方法によれば、別途に２Ｄ信号又は３Ｄ信号に対する入出力操作を行うことなく、ユーザが立体眼鏡を着用する動作のみで２Ｄ又は３Ｄ画面信号を自動的に選択して生成できるので、ユーザに利便性を提供することができる。
【図面の簡単な説明】
【００２２】
【図１】本発明の一実施形態に係る立体画像表示装置の概念図である。
【図２】本発明の一実施形態に係る立体眼鏡の構成図である。
【図３】本発明の一実施形態に係る立体画像表示装置のブロック図である。
【図４】本発明の一実施形態に係る立体画像表示装置の制御方法を示したフローチャートである。
【図５】本発明の別の実施形態に係る立体画像表示装置の制御方法を示したフローチャートである。
【発明を実施するための形態】
【００２３】
以下、添付の図面を参照して本発明について詳細に説明する。
【００２４】
図１は、本発明の一実施形態に係る立体画像表示装置の概念図である。
【００２５】
図１に示すように、立体画像表示装置は、立体画像を生成するディスプレイ装置１０と、ＤＶＤなどに格納された情報を再生する画像情報格納／再生装置１５と、ディスプレイ装置１０に表示される左右の目の画像を制御する液晶シャッタ駆動制御装置２０と、交互に迅速にディスプレイされる画像を観察者が立体画像として体験するようにする立体眼鏡２５とを含む。
【００２６】
ディスプレイ装置１０は、個人用コンピュータのモニタやＴＶセットであり、図面には示していないが、画像信号を画面に投射するプロジェクタであってもよい。ディスプレイ装置１０には陰極線管（ＣＲＴ）方式のモニタが一般的に使用されるが、他の方式のモニタも使用可能である。
【００２７】
画像情報格納／再生装置１５は、個人用コンピュータ、ＶＣＲ（Ｖｉｄｅｏ  Ｃａｓｓｅｔｔｅ  Ｒｅｃｏｄｅｒ）、ＤＶＤ（Ｄｉｇｉｔａｌ  Ｖｉｄｅｏ  Ｄｉｓｋ）プレーヤ、ＬＤ（Ｌａｓｅｒ  ｄｉｓｋ）プレーヤ又はビデオゲームデバイスなどの家庭用ビデオ機器である。
【００２８】
液晶シャッタ駆動制御装置２０は、ディスプレイ装置１０及び画像情報格納／再生装置１５に接続され、ディスプレイ画面に表示される左右の目の画像と立体眼鏡２５の開閉との間の同期を制御する役割をする。液晶シャッタ駆動制御装置２０は、ケーブルを用いて有線でディスプレイ装置１０及び画像情報格納／再生装置１５に接続されたり、赤外線又はＲＦ（Ｒａｄｉｏ  Ｆｒｅｑｕｅｎｃｙ）を用いて無線でディスプレイ装置１０及び画像情報格納／再生装置１５に接続されたりする。一方、図１では、液晶シャッタ駆動制御装置２０が別途の装置として設けられているが、液晶シャッタ駆動制御装置２０は、ディスプレイ装置１０に内蔵されたり、立体眼鏡２５と一体に構成されたりするように製作されることもある。
【００２９】
以下では、液晶シャッタ駆動制御装置２０、ディスプレイ装置１０及び画像情報格納／再生装置１５を画像情報再生装置３０と総称することにする。
【００３０】
立体眼鏡２５の左右のウィンドウは、ディスプレイ装置１０に表示される左右の目の画像と同期して開放される。すなわち、立体眼鏡２５は、交互に迅速にディスプレイされる画像を観察者が立体画像として体験するようにする。具体的に、立体眼鏡２５は、同期信号と同期して１秒当たり６０Ｈｚ以上で開閉され、脳は、二つの画像を立体画像として認識する。
【００３１】
一方、図１を参照して、シャッタ眼鏡を使用する立体画像表示装置について説明したが、本発明の一実施形態は、偏光眼鏡を使用した立体画像表示装置にも適用可能である。偏光眼鏡を使用した立体画像表示装置では、上述した液晶シャッタ駆動制御装置２０が設けられず、画像情報格納／再生装置１５は、２Ｄ／３Ｄ変換装置を内蔵し、ディスプレイ装置１０の画面に２Ｄ又は３Ｄ画像を選択的に生成する。偏光眼鏡を使用した立体画像表示装置では、ディスプレイ装置１０及び画像情報格納／再生装置１５を画像情報再生装置３０と総称することにする。
【００３２】
図２は、本発明の一実施形態に係る立体眼鏡の構成図である。
【００３３】
図２に示すように、立体眼鏡２５は、ユーザによる立体眼鏡２５の着用の有無を感知するセンサ部２１と、画像情報再生装置３０と双方向通信を行う送受信部２３と、３Ｄ又は２Ｄ画像モードを手動で選択するスイッチ２２とを含むことができる。２Ｄモードが設定されれば、画像情報再生装置３０は２Ｄ画像を生成し、３Ｄモードが設定されれば、画像情報再生装置３０は３Ｄ画像を生成する。
【００３４】
センサ部２１は、接触式センサ又は非接触式センサであって、ユーザによる立体眼鏡２５の着用の有無を感知する。
【００３５】
接触式センサは、赤外線センサ及び静電容量センサを含むタッチセンサであって、赤外線センサは、人間の目に見えない赤外線の直進性を用いるものである。赤外線タッチセンサでは、発光素子である赤外線ＬＥＤと受光素子であるフォトトランジスタとを対向させてマトリックスを構成し、このマトリックス内に指のような物体によって光が遮断されるセンサを感知することによってタッチ点を認識する。静電容量タッチセンサでは、タッチパッド面に一定の電流を流した後、人体がそのパッド面をタッチするとき、その電流の波形変化を検出する。
【００３６】
非接触式センサは、人工的に多量の光を放出し、その光とぶつかる人体から反射される光を受ける光センサであって、その観察者が立体眼鏡２５を着用したことを感知することができる。
【００３７】
立体眼鏡２５に装着されたセンサ部２１によって感知され、ユーザによる立体眼鏡２５の着用の有無を示す情報が受信されれば、送受信部２３は、その情報を画像情報再生装置３０に送信し、画像情報再生装置３０は、３Ｄ又は２Ｄ画像を選択的に生成する。また、画像情報再生装置３０が３Ｄ画像を生成するとき、送受信部２３は、交互に迅速にディスプレイされる画像に対する同期信号を受信する。
【００３８】
送受信部２３は、赤外線送受信部及びＲＦ（Ｒａｄｉｏ  Ｆｒｅｑｕｅｎｃｙ）送受信部である。赤外線送受信部は、画像情報再生装置３０と赤外線通信を行い、このために、立体眼鏡２５に発光素子及び受光素子が設置される。発光素子としてはＬＥＤが使用され、ＬＥＤは、正確な時間に多様な波長で光波を発生させ、放射角を容易に調節する。受光素子としては赤外線検出器が使用され、赤外線検出器は、ＰＩＮダイオード（Ｉｎｖｅｒｓｅｌｙ  ｂｉａｓｅｄ  Ｐ−Ｎ  ｊｕｎｃｔｉｏｎ  Ｄｉｏｄｅ）であって、高感度及び充分に低い磁気キャパシタンスを有する。一方、ＲＦ送受信部は、ＲＦ電流がアンテナに供給されたときに発生するＲＦを用いて通信を行う。
【００３９】
上述した送受信部の他に、立体眼鏡２５に設置される送受信部２３には、ブルートゥース通信やＷｉ−Ｆｉ通信などの双方向通信を行う任意の通信アンテナが使用可能である。
【００４０】
スイッチ２２は、ユーザによる立体眼鏡２５の着用の有無と関係なしに手動で２Ｄ又は３Ｄ画像モードを選択できるように、立体眼鏡２５の一側に設置されるボタンである。
【００４１】
スイッチ２２の動作は、立体眼鏡２５から画像情報再生装置３０に各送受信部を通して伝送された信号を発生させる。すなわち、スイッチ２２が２Ｄモードに設定されれば、画像情報再生装置３０は２Ｄ画像を生成し、スイッチ２２が３Ｄモードに設定されれば、画像情報再生装置３０は３Ｄ画像を生成する。立体眼鏡２５から画像情報再生装置３０に伝送された信号は、ユーザによる立体眼鏡２５の着用の有無を表す信号と同一である。また、この信号は、画像情報再生装置３０に２Ｄ及び３Ｄ画像のうち一つを生成するように命令する信号とは別個の信号である。
【００４２】
さらに、上述した例では、スイッチ２２が一側に設置されたものとして説明したが、当該技術分野で通常の知識を有する者であれば、スイッチ２２が立体眼鏡２５のいずれの位置にも設置可能であることを理解することができる。
【００４３】
図３は、本発明の一実施形態に係る立体画像表示装置のブロック図である。
【００４４】
図３に示すように、立体画像表示装置は、センサ部２１、スイッチ２２、制御部２４及び送受信部２３を備えた立体眼鏡２５と、送受信部２６、制御部２７及び出力部２８を備えた画像情報再生装置３０と、を含んで構成される。
【００４５】
立体眼鏡２５のセンサ部２１は、接触式センサ（例えば、タッチセンサ）又は非接触式センサ（例えば、光センサ）によってユーザによる立体眼鏡２５の着用の有無を感知する。上述した各センサは、ユーザによる立体眼鏡２５の着用の有無を感知するために使用される。
【００４６】
立体眼鏡２５のスイッチ２２は、ユーザによる立体眼鏡２５の着用の有無とは関係なしにユーザが手動で２Ｄ又は３Ｄ画像モードを選択できるように、立体眼鏡２５の一側に設置されたボタンである。
【００４７】
スイッチ２２の動作は、立体眼鏡２５から画像情報再生装置３０に各送受信部を通して伝送された信号を発生させる。すなわち、スイッチ２２が２Ｄモードに設定されれば、画像情報再生装置３０は２Ｄ画像を生成し、スイッチ２２が３Ｄモードに設定されれば、画像情報再生装置３０は３Ｄ画像を生成する。立体眼鏡２５から画像情報再生装置３０に伝送された信号は、ユーザによる立体眼鏡２５の着用の有無を表す信号と同一である。また、この信号は、画像情報再生装置３０に２Ｄ及び３Ｄ画像のうち一つを生成するように命令する信号とは別個の信号である。
【００４８】
さらに、上述した例では、スイッチ２２が一側に設置されたものとして説明したが、当該技術分野で通常の知識を有する者であれば、スイッチ２２が立体眼鏡２５の任意の位置に設置可能であることを理解することができる。
【００４９】
立体眼鏡２５の制御部２４は、センサ部２１によって伝送された眼鏡着用情報と、スイッチ２２によって伝送された２Ｄ又は３Ｄ画像選択情報とに従って、送受信部２３が画像情報再生装置３０に情報を伝送するように制御する。また、立体眼鏡の一例であるシャッタ眼鏡を使用して立体画像を獲得する場合、制御部２４は、立体眼鏡２５の左右のウィンドウが、ディスプレイ装置１０に表示される左右の目の画像と同期して開放されるように制御し、交互に迅速にディスプレイされる画像を観察者が立体画像として体験するようにする。
【００５０】
立体眼鏡２５に装着されたセンサ部２１によって感知され、ユーザによる立体眼鏡２５の着用の有無を示す情報が受信されれば、立体眼鏡２５の送受信部２３は、その情報を画像情報再生装置３０に送信し、画像情報再生装置３０は、３Ｄ又は２Ｄ画像を選択的に生成する。
【００５１】
画像情報再生装置３０の送受信部２６は、赤外線送受信部又はＲＦ送受信部である。赤外線送受信部は、立体眼鏡２５と赤外線通信を行い、このために、画像情報再生装置３０に発光素子及び受光素子が設置される。ＲＦ送受信部は、ＲＦ電流がアンテナに供給されたときに発生するＲＦを用いて通信を行うことができる。
【００５２】
画像情報再生装置３０の出力部２８は、ディスプレイ装置１０を意味するもので、個人用コンピュータのモニタ又はＴＶセットを使用する。図面に示していないが、出力部２８は、画像信号を画面に投射するプロジェクタであってもよい。出力部２８には、陰極線管（ＣＲＴ）方式のモニタが一般的に使用される。
【００５３】
画像情報再生装置３０の制御部２７は、送受信部２６から受信された情報に応じて３Ｄ画像又は２Ｄ画像のうちいずれかを選択的に生成する。すなわち、立体眼鏡２５から伝送された情報が、ユーザによる立体眼鏡２５の着用であると確認されれば、制御部２７は３Ｄ画像を生成し、立体眼鏡２５から伝送された情報が、ユーザによる立体眼鏡２５の未着用であると確認されれば、制御部２７は２Ｄ画像を生成する。しかしながら、ユーザが立体眼鏡２５を着用したとしても、ユーザと画像情報再生装置３０との間の距離が通信領域外にある場合、制御部２７は２Ｄ画像を生成する。
【００５４】
図４は、本発明の一実施形態に係る立体画像表示装置の制御方法を示したフローチャートである。
【００５５】
図４に示すように、段階Ｓ１０で、画像情報再生装置３０の電源がオンになれば、画像情報再生装置３０の送受信部２６は、ユーザによる立体眼鏡２５の着用の有無を示す情報を受信する。すなわち、立体眼鏡２５の送受信部２３は、ユーザによる立体眼鏡２５の着用の有無を示す情報を画像情報再生装置３０の送受信部２６に伝送し、段階Ｓ２０で、画像情報再生装置３０の制御部２７は、その情報に従って次の段階に進行する。
【００５６】
次に、段階Ｓ２０で、ユーザが立体眼鏡２５を着用していると確認されれば、段階Ｓ３０で、画像情報再生装置３０の制御部２７は、出力部２８を通して３Ｄ画像を生成する。
【００５７】
一方、段階Ｓ２０で、ユーザが立体眼鏡２５を着用していないと確認されれば、段階Ｓ４０で、画像情報再生装置３０の制御部２７は、出力部２８を通して２Ｄ画像を生成する。
【００５８】
次に、段階Ｓ５０で、ユーザが画像情報再生装置３０の電源をオフにすれば、画像出力が終了し、ユーザが画像情報再生装置３０の電源をオフにしない場合、段階Ｓ２０にフィードバックし、ユーザによる立体眼鏡の着用の有無に応じて２Ｄ又は３Ｄ画像を出力する。
【００５９】
図５は、本発明の別の実施形態に係る立体画像表示装置の制御方法を示したフローチャートである。
【００６０】
図５に示すように、段階Ｓ１００で、画像情報再生装置３０の電源がオンになれば、段階Ｓ１１０で、画像情報再生装置３０の制御部２７は、ユーザが画像情報再生装置３０の送受信部２６の通信範囲内にいるかを確認する。例えば、画像情報再生装置３０の送受信部２６がＲＦ送受信部であれば、制御部２７は、ＲＦ送受信部が無線波を発信するように制御し、ユーザが着用した立体眼鏡２５が無線波に反応するかを確認する。
【００６１】
次に、ユーザが画像情報再生装置３０の送受信部２６の通信範囲内にいると確認されれば、段階Ｓ１２０で、制御部２７は、ユーザが立体眼鏡２５を着用しているかを確認する。立体眼鏡２５の送受信部２３は、ユーザによる立体眼鏡２５の着用の有無を示す情報を画像情報再生装置３０の送受信部２６に伝送し、画像情報再生装置３０の制御部２７は、その情報に従って次の段階に進行する。
【００６２】
次に、ユーザが画像情報再生装置３０の送受信部２６の通信範囲内に位置し、ユーザが立体眼鏡２５を着用していると確認されれば、段階Ｓ１３０で、画像情報再生装置３０の制御部２７は、３Ｄ画像を生成する。
【００６３】
一方、ユーザが画像情報再生装置３０の送受信部２６の通信範囲外に位置したり、ユーザが通信範囲内に位置するとしても、ユーザが立体眼鏡を着用していなかったりすることが確認されれば、段階Ｓ１４０で、画像情報再生装置３０の制御部２７は、出力部２８を通して２Ｄ画像を生成する。
【００６４】
次に、段階Ｓ１５０で、ユーザが画像情報再生装置３０の電源をオフにすれば、画像出力が終了し、ユーザが画像情報再生装置３０の電源をオフにしない場合、段階Ｓ１１０にフィードバックし、ユーザが通信範囲内に位置するかどうか、及びユーザが立体眼鏡２５を着用しているかどうかに応じて２Ｄ又は３Ｄ画像を出力する。
【００６５】
一方、図４及び図５で、画像情報再生装置３０は、ユーザが通信範囲内に位置するかどうか、及びユーザが立体眼鏡２５を着用しているかどうかに応じて２Ｄ又は３Ｄ画像を生成したが、２Ｄ又は３Ｄ画像は、スイッチ２２を手動で押したり操作したりすることによって生成されてもよい。
【符号の説明】
【００６６】
２１  センサ部
２２  スイッチ
２４  立体眼鏡の制御部
２３  立体眼鏡の送受信部
２５  立体眼鏡
２６  画像情報再生装置の送受信部
２７  画像情報再生装置の制御部
２８  出力部
３０  画像情報再生装置
【図１】
2010154533.tif 000003
【図２】
2010154533.tif 000004
【図３】
2010154533.tif 000005
【図４】
2010154533.tif 000006
【図５】
2010154533.tif 000007